(57)【特許請求の範囲】
【請求項１】
ジブの基台を船体の船軸方向に移動可能とする走行ガイドを備え、ジブ受け台船を用いて前記ジブを船体上に格納するフローティングクレーンであって、
前記ジブは、主ジブの先端側に補助ジブが回転可能に設けられ、
前記補助ジブは先端に、前記ジブ受け台船側の第１の被係合部材又は前記船体側の第２の被係合部材に係脱可能に係合する係合部材を有し、
前記船体の一端側に立設しているジブを傾倒させながら倒伏させる際に、前記基台を前記船体の一端側から移動させずに前記主ジブに対し前記補助ジブを屈曲させて前記ジブ受け台船の第１の被係合部材に係合部材を係脱可能に係合し、その状態で、前記基台を前記走行ガイドに沿って前記船体の他端側に移動させ、前記係合部材を、前記第１の被係合部材との係合を解除して前記第２の被係合部材と係合させ、前記ジブを、前記主ジブに対し前記補助ジブを屈曲させた状態で前記船体上に格納する構成としていることを特徴とするフローティングクレーン。
【請求項２】
前記ジブ受け台船は、前記第１の被係合部材が一端部に配置され、他端部にバラストタンクを備えていることを特徴とする請求項１に記載のフローティングクレーン。
【請求項３】
前記基台は、前記走行ガイドにスライド可能に係合するスライダを下面に有し、
前記スライダの両側に、エアを甲板に向けて吹き出し前記甲板との間に空気膜を形成する複数のエアクッションが設けられていることを特徴とする請求項１または２に記載のフローティングクレーン。
【発明の詳細な説明】
【技術分野】
【０００１】
本発明は、フローティングクレーンに関するものである。
【背景技術】
【０００２】
従来、海上でのクレーン作業にはフローティングクレーンが使用されている。フローティングクレーンは、船体に基台を固設し、該基台に旋回自在にジブを装着して、このジブに配設する滑車に索体を懸架して、別に備えるウインチにより前記索体を巻き取り、あるいは送り出して前記滑車から吊り下げられたフックにより荷揚げまたは荷降ろしを行うものである。
【０００３】
また、前記ジブは、船体の一端側（例えば船首側）に立設した状態で荷揚げまたは荷降ろし作業を行うために、通常は前記ジブを旋回自在に支持する基台に固設している。
【０００４】
しかし、フローティングクレーンを曳航する際や、暴風雨時等には、立設しているジブを倒伏させることが望ましい。
【０００５】
そのために、船体にレールを敷設して、前記基台を船体の船軸に沿って移動可能とすると共に、前記ジブを前記基台から旋回して横たえるようにして、前記ジブを船体に収容するとしたフローティングクレーンをすでに提案している（例えば、特許文献１参照）。
【０００６】
通常は立設しているフローティングクレーンのジブを倒伏させる場合に、船体の一端側（船首側もしくは船尾側）に配設されているジブをそのまま傾倒させながら海側に倒伏させると、前記フローティングクレーンが大型になればなるほど、前記ジブを支持する基台に掛かるモーメント負荷が大きくなる。また、前記ジブを海面近くまで傾倒した状態では、船体内に引き込むことも、前記基台に掛かる負荷が大きくなり、スムーズに引き込むことは困難である。さらに、倒伏したジブをそのまま移動させると、前記ジブの先端部に配設される滑車に吊下げられているフックが揺動する。
【０００７】
そこで、出願人は、フローティングクレーンのジブを横たえて船体内に引き込む際に、大型のジブであっても確実に倒伏させることができ、倒伏させたジブを安全に船体内に引き込むことができる構成としたフローティングクレーンも先に提案している（例えば、特許文献２参照）。この特許文献２に記載のものでは、フローティングクレーンのジブを横たえて船体内に引き込む際に、補助台船がジブの先端部を受け取り、前記補助台船が受取った状態で引き込むようにしている。
【０００８】
このような特許文献２に記載のものでは、大型のジブであっても確実に倒伏させることができ、倒伏したジブを安全に船体内に引き込むことができるとしても、船体とは別の補助台船を必要とする。そのため、前述したような補助台船を用いることなく、ジブ（補助ジブ）の先端に浮力タンクを設け、フローティングクレーンのジブを倒伏させて船体内に引き込む際に、浮力タンクによる浮力を利用することで、大型のジブであっても確実に傾倒させながら、倒伏したジブを安全に船体内に引き込むことを可能としたフローティングクレーンも提案している（例えば、特許文献３参照）。
【先行技術文献】
【特許文献】
【０００９】
【特許文献１】特開２００５−３３００８７号公報
【特許文献２】特開２００５−３５０２１１号公報
【特許文献３】特開２０１０−１９５５４１号公報
【発明の概要】
【発明が解決しようとする課題】
【００１０】
前記特許文献３に記載のものでは、ジブ（補助ジブ）の先端に浮力タンクを設けているので、ジブの先端が大型化して、使い勝手が悪く、ジブと一体の浮力タンクを利用しているので、倒伏したジブを船体内に引き込む際に、不安定になる。一方、特許文献２に記載のもののように、台船を用いるとしても、主ジブの先端側に補助ジブが回転可能に設けられたジブである場合には、大きな補助ジブを台船にて支持する必要があり、前記補助ジブを下側から台船にて支持するだけでは、支持が安定せず、倒伏したジブを船体内に安定して引き込むことができない。
【００１１】
本発明は、主ジブの先端側に補助ジブが回転可能に設けられたジブを有するフローティングクレーンにおいて、倒伏したジブを船体内に安定して引き込むことができることを目的とする。
【課題を解決するための手段】
【００１２】
上記の目的を達成するために請求項１の発明は、ジブの基台を船体の船軸方向に移動可能とする走行ガイドを備え、ジブ受け台船を用いて前記ジブを船体上に格納するフローティングクレーンであって、前記ジブは、主ジブの先端側に補助ジブが回転可能に設けられ、前記補助ジブは先端に、前記ジブ受け台船側の第１の被係合部材又は前記船体側の第２の被係合部材に係脱可能に係合する係合部材を有し、前記船体の一端側に立設しているジブを傾倒させながら倒伏させる際に、前記基台を前記船体の一端側から移動させずに前記主ジブに対し前記補助ジブを屈曲させて前記ジブ受け台船の第１の被係合部材に係合部材を係脱可能に係合し、その状態で、前記基台を前記走行ガイドに沿って前記船体の他端側に移動させ、前記係合部材を、前記第１の被係合部材との係合を解除して前記第２の被係合部材と係合させ、前記ジブを、前記主ジブに対し前記補助ジブを屈曲させた状態で前記船体上に格納する構成としていることを特徴とする。
【００１３】
このようにすれば、立設したジブ（ジブ及び補助ジブ）を海側に傾倒させながら倒伏させる際に、ジブ受け台船の第１の被係合部材に補助ジブの係合部材を係脱可能に係合させて支持するようにしているので、主ジブの先端側に補助ジブが回転可能に設けられたジブでも、主ジブを倒伏させて、前記補助ジブをジブ受け台船が支持した状態として安定して引き込むことができる。
また、補助ジブの係合部材が本船２の船首側の第２被係合部材１２に係脱可能に係合され、船体と一体になるようにして格納を完了するので、暴風雨等の波が高い場合でも、その影響も最小限に抑制することができ、安全に曳航することができる。
【００１４】
請求項２に記載のように、前記ジブ受け台船は、前記第１の被係合部材が一端部に配置され、他端部にバラストタンクを備えている構成とすることができる。
【００１５】
このようにすれば、ジブ受け台船の第１の被係合部材に補助ジブの係合部材を係脱可能に係合させてジブを支持する際に、バラストタンクに注水しつつ支持させることで安定した支持が可能となる。
【００１６】
請求項３に記載のように、前記基台は、前記走行ガイドにスライド可能に係合するスライダを下面に有し、前記スライダの両側に、エアを甲板に向けて吹き出し前記甲板との間に空気膜を形成する複数のエアクッションが設けられていることが望ましい。
【００１７】
このようにすれば、倒伏したジブを船体内に引き込む際に、スムーズに安定して引き込むことができる。
【発明の効果】
【００１８】
本発明は、上記のように、立設したジブ（ジブ及び補助ジブ）を海側に傾倒させながら倒伏させる際に、ジブ受け台船の第１の被係合部材に補助ジブの係合部材を係脱可能に係合させてジブを支持するようにしているので、主ジブの先端側に補助ジブが回転可能に設けられたジブでも、主ジブを倒伏させて、前記補助ジブをジブ受け台船が支持した状態として安定して引き込むことができる。
また、補助ジブの係合部材が本船２の船首側の第２被係合部材１２に係脱可能に係合され、船体と一体になるようにして格納を完了するので、暴風雨等の波が高い場合でも、その影響も最小限に抑制することができ、安全に曳航することができる。
【図面の簡単な説明】
【００１９】
【図１】本発明の一実施の形態であるフローティングクレーンを示し、（ａ）は全体の概略構成を示す側面図、（ｂ）は図１（ａ）のＡ部拡大図である。
【図２】（ａ）はジブ格納状態を示す図１（ａ）と同様の図、（ｂ）は図２（ａ）のＢ部拡大図である。
【図３】ジブ受け台船の概略構成を示す説明図である。
【図４】基台を示し、（ａ）は側面図、（ｂ）は底面図である。
【図５】ジブ（主ジブ、補助ジブ）を船体に引き込む動作の説明図である。
【図６】ジブ（主ジブ、補助ジブ）を船体に引き込む動作の説明図である。
【図７】（ａ）〜（ｃ）はそれぞれジブ受け台船にジブ（補助ジブ）を支持させる動作の説明図である。
【図８】ジブ（主ジブ、補助ジブ）を船体に引き込む動作の説明図である。
【発明を実施するための形態】
【００２０】
以下、本発明の実施の形態について、図面に基づいて説明する。
【００２１】
図１および図２に示すように、フローティングクレーン１は、海上に浮かぶ、いわゆるクレーンで、本船２（船体）の一端側に、主ジブ３と補助ジブ４とを有するジブ５を立設し、このジブ５（主ジブ３、補助ジブ４）に吊下げるフック６，７を上下駆動して、海上での荷降ろしや荷揚げなどの作業を行うものである。具体的に図示していないが、フック６，７は、ウインチにより巻上げたり繰り出したりされるワイヤーを介して吊下げられている。なお、周知のように主ジブ３と補助ジブ４とは回転可能に連結されており、主ジブ４に対し補助ジブ４が一定の角度をなすようにワイヤーを繰り出して傾斜させて、作業が行え、また、前記ワイヤーを巻き取ることで格納できるようになっている。また、主ジブ３にサポート部材１３の一端部が回転可能に支持され、このサポート部材１３の他端部が、補助ジブ４のガイド部（図示せず）にスライド可能に支持されている。そして、図２（ａ）（ｂ）に示す状態では、サポート部材１３の前記他端部に固定ピン１４が挿入され、主ジブ３と補助ジブ４との位置関係が固定され、不用意に振れないようになっている。
【００２２】
ジブ５（主ジブ３）の下端が基台８に回転可能に支持されている。つまり、主ジブ４を構成する左右のフレームの下端部が左右２個の基台８に設置され、この２個の基台８に対しジブ５全体が一体的に回転可能に装着されている。これにより、本船２に対しジブ５全体が起伏動作できるようになっている。この起伏操作は、主ジブ３の先端部に懸架されるバックステーワイヤー９をウインチ１０により巻上げたり繰り出したりすることにより行われる。バックステーワイヤー９は、バックタワー１１を経由してウインチ１０に巻回されている。
【００２３】
また、ジブ５（補助ジブ４）の先端部には、係合凹部材２１が固定されている。一方、本船２とは別の船であってジブ５を本船２に格納する際に用いられるジブ受け台船２２には、図２にも示すように、係合凹部材２１が係脱可能に係合する第１の被係合軸部材２３が台船２２の長手方向の一端部に設けられ、係合凹部材２１が第１の被係合軸部材２３に係脱可能に係合された状態で、ジブ受け台船２２に支持され、その状態のままジブ受け台船２２を本船２側に引き寄せ、本船２に移すことで格納される。つまり、ジブ５がジブ受け台船２２より持ち上げられ、その持ち上げられたジブ５（補助ジブ４）側の係合凹部材２１が、本船２の船首側の第２の被係合軸部材１２（図１（ｂ）及び図２（ｂ）参照）に係脱可能に係合され、その係合状態でジブ５（主ジブ３、補助ジブ４）が本船２に格納される。なお、ジブ受け台船２２は、ジブ５の格納時などの必要時においてのみ用いられる。
【００２４】
ジブ受け台船２２は、第１の被係合軸部材２３が設けられている側とは、図３に示すように、反対側（他端部）にはバラストタンク３１が３つのタンク部３１Ａ，３１Ｂ，３１Ｃに分割されて設けられている。そして、パラストポンプ３２の駆動によって、取水口３３から海水が取り込まれて各タンク部３１Ａ〜３１Ｃに分配されたり、各タンク部３１Ａ〜３１Ｃから海水が取り出されて排水口３４を通じて船外に排出したりできるようになっている。これにより、ジブ受け台船２２がジブ５を支持する場合に、ジブ受け台船２２が傾かないようにバラストタンク３１（タンク部３１Ａ〜３１Ｃ）への注水・排水が行われる。なお、３５は注水・排水を制御するための開閉弁である。
【００２５】
本船２の甲板上には、船首２Ａ側から船尾２Ｂ側まで左右に走行ガイド４１が所定間隔で並行に設けられ、それぞれの走行ガイド４１に、図４（ａ）（ｂ）に示すように、基台８の下面のスライダ４２がそれぞれスライド移動可能に係合している。これにより、ジブ部５を支持する基台８が走行ガイド４１に沿って本船２の一端側から他端側まで（例えば船首２Ａから船尾２Ｂまで）スライド移動でき、ジブ５は船首２Ａと船尾２Ｂとの間を移動できるようになっている。また、スライダ４２の両側に、エアを甲板に向けて吹き出し前記甲板との間に空気膜を形成する複数のエアクッション４３が設けられ、前記空気膜によって基台８の移動に要する駆動力が小さくなるようにされている。なお、基台８のスライド移動は、駆動部を備える駆動ワイヤーを用い、この駆動ワイヤーにより基台８を移動させてもよいし、基台８に直接駆動輪を設けて、直接走行ガイド４１に沿って移動する構成としてもよく、そのスライド移動のための構成は特に制限されない。
【００２６】
続いて、ジブ５を本船２上に格納する手順について説明する。
（ステップ１）
ジブ５（主ジブ３，補助ジブ４）を本船２上に収容する際には、まず、図１に示すように、ジブ受け台船２２を準備するとともに、基台８を、例えば船首２Ａ側に位置させて、ジブ角度を７０程度とし、フック６，７がジブ格納動作の邪魔にならないように、前フック７および後フック６が補助ジブ４の収納部（図示せず）に収納されて仮固定される。
（ステップ２）
そのフック収納後に、立設しているジブ５を海側に徐々に傾倒させ、図５に示すように、所定の傾斜角度（たとえば２０度程度）の倒伏状態とする。このとき、補助ジブ４はワイヤーを介して主ジブ３と一体化されている。このとき、補助ジブ４の下方にジブ受け台船２２が位置するように、相互に位置調整を行う。
（ステップ３）
それから、図示しないウインチを駆動してワイヤーを繰り出すことで、補助ジブ４が下向きになるように、主ジブ３に対し補助ジブ４を回転させ、最終的には、図６に示すように、補助ジブ４先端の係合凹部材２１をジブ受け台船２２上の被係合軸部材２３に係脱可能に係合させる。
【００２７】
つまり、繰り出される前記ワイヤーの長さに応じて補助ジブ４の、主ジブ３に対する傾斜角度が変化するので、それに伴い補助ジブ４の海面に対する角度も変化する。補助ジブ４の軸線が海面に直交する向きとなるように補助ジブ４の主ジブ３に対する傾斜角度が調整される。そして、調整後、サポート部材１３の、補助ジブ４側の端部を固定ピン１４にて補助ジブ４に固定し、主ジブ３と補助ジブ４との位置関係を固定する。これにより、補助ジブ４が不用意に振れないようになり、その状態では、ジブ受け台船２２に、係合凹部材２１と被係合軸部材２３との係合関係でジブ５（補助ジブ４）は安定して支持される。
【００２８】
このとき、係合凹部材２１と第１の被係合軸部材２３との係合は、図７（ａ）〜（ｃ）に示すようになされる。つまり、図７（ａ）に示すように、まず、補助ジブ４とジブ受け台船２２との位置決めを行い、係合凹部材２１が第１の被係合軸部材２３に係脱可能に係合する上下位置関係とする。このとき、補助ジブ４の係合凹部材２１が、ジブ受け台船２２の前部（一端部）に設けられている被係合軸部材２３に係合しジブ５の荷重がジブ受け台船２２にかかると、ジブ受け台船２２が傾くので，それを回避するために、バラスト（海水）の搭載を開始する。ジブ受け台船２２の後部（他端部）に設けられているバラストタンク３１に、バラストポンプ３２を用いて，海水の導入が開始される。
【００２９】
それから、図７（ｂ）に示すように、ジブ受け台船２２の傾斜を確認しながら、ジブ５の荷重の解放を徐々に行う。このときも、バラストの搭載が継続され、ジブ受け台船２２の傾斜が少なくなる方向にジブ受け台船２２の傾斜が修正される。
【００３０】
その後、図７（ｃ）を示すように、ジブ５の荷重解放を完了し、ジブ受け台船２２の傾斜が収まるバラスト状態に調整し、ジブ５の搭載を完了する。
【００３１】
このように、ジブ５は鋼鉄製のフレーム構造で、高重量であっても、一旦ジブ受け台船２２に支持されると、安定姿勢を保つことができる。
（ステップ４）
続いて、図８に示すように、図示しないストランドジャッキ操作により駆動ワイヤーを駆動させて、走行ガイド２３に沿って基台８を後部固定アイまで移動させる。移動完了後に、基台８を後部固定アイに固定する。
【００３２】
このとき、基台８の下面には複数のエアクッション４３が設けられ、基台８を空気膜によって浮かせた状態で移動させるようになっているので、基台８に回転可能に支持されているジブ５を傾倒してジブ受け台船２２に支持された状態で、基台８を走行ガイド４１に沿ってジブ５を本船２側へ引き込む方向に移動させても、ジブ受け台船２２がジブ５を支持しつつ安定して、移動するジブ５と共に本船２側へ移動する。
【００３３】
本船２の船首２Ａ側から船尾２Ｂ側まで並行して敷設されている走行ガイド４１に沿って、基台８とジブ５とが一体的に移動するとき、ジブ５を構成する左右両側のフレームがそれぞれ、本船２の甲板上に設けられている操舵室６１を跨ぐ構成とされ、この操舵室６１とは干渉しないレイアウトとされていて、基台８と倒伏状態のジブ５とを船尾２Ｂ側一杯に引き込むことを可能としている。
（ステップ５）
最終的には，図２に示すように、バックステーワイヤー９によってジブ５が持ち上げられ、補助ジブ４先端の係合部材が本船２の船首側の被係合軸部材１２に係脱可能に係合され、本船２と一体になるようにして格納を完了する。このようにジブ５を傾倒して本船２内に引き込み格納すると、本船２が安定するので、暴風雨等の波が高い場合でも、その影響も最小限に抑制することができ、フローティングクレーン１を安全に曳航することができる。
【００３４】
一方、本船２内に収容したジブ５を操業位置に立設する際には、図示しない駆動部を逆回転させて駆動ワイヤーを逆方向に駆動し、ジブ５を本船２から押出すように基台８を移動させればよい。つまり、前記駆動部の駆動ワイヤーは周知のように正逆駆動が可能である。
【００３５】
前述した実施の形態では、ジブ受け台船はバラストタンクを有する構造としているが、ジブ（補助ジブ）を支持した状態で海上に安定して浮かぶものであればよく、その形状や構造は海上に安定して浮かぶものであれば特に制限されない。
【符号の説明】
【００３６】
１  フローティングクレーン
２  本船
２Ａ  船首
２Ｂ  船尾
３  主ジブ
４  補助ジブ
５  ジブ
８  基台
１２    第２の被係合軸部材
２１    係合凹部材
２２    ジブ受け台船
２３    第１の被係合軸部材
３１    バラストタンク
４１    走行ガイド
４２    スライダ
４３    エアクッション
【図１】
0005743492.tif 000002
【図２】
0005743492.tif 000003
【図３】
0005743492.tif 000004
【図４】
0005743492.tif 000005
【図５】
0005743492.tif 000006
【図６】
0005743492.tif 000007
【図７】
0005743492.tif 000008
【図８】
0005743492.tif 000009